(57)【要約】【課題】食品収納容器を冷蔵室内の所定位置に押し込んだときにはカバーが食品収納容器に密着してその上面開口部を密閉し、他方、食品収納容器の出し入れ時はカバーが離れて食品収納容器の動きを妨げないようにする。【解決手段】冷蔵庫１の冷蔵室１２に、引き出し式の食品収納容器２０が設けられる。食品収納容器２０の上面開口部を覆うカバー２１は冷蔵室１２の内壁に支持され、垂直方向に変位可能である。カバー２１と食品収納容器２０との間に設けられた運動変換機構３０は、食品収納容器２０の水平移動を、垂直運動成分を含むカバー２１の開閉動作に変換するものであり、食品収納容器２０が冷蔵室１２内の所定位置に着座したときはカバー２１が食品収納容器２０に密着し、食品収納容器２０が所定位置から離脱するときはカバー２１は食品収納容器２０から離間する。【選択図】      図１
2004309016.tif 000002
【特許請求の範囲】
【請求項１】
冷蔵室に引き出し式の食品収納容器を設け、この食品収納容器の上面開口部を覆うカバーを冷蔵室内壁に支持させた冷蔵庫において、
前記カバーを垂直方向に変位可能とするとともに、このカバーと前記食品収納容器との間には、食品収納容器の水平移動を、垂直運動成分を含むカバーの開閉動作に変換する運動変換機構を設け、この運動変換機構は、食品収納容器が前記冷蔵室内の所定位置に着座したときはカバーを食品収納容器に密着させ、食品収納容器が前記所定位置から離脱するときはカバーを食品収納容器から離間させるものであることを特徴とする冷蔵庫。
【請求項２】
前記カバーが、前記食品収納容器の上面開口部と平行を保ちつつ変位せしめられることを特徴とする請求項１に記載の冷蔵庫。
【請求項３】
前記食品収納容器の上面開口部の縁を、前記運動変換機構の接触箇所としないことを特徴とする請求項１又は請求項２に記載の冷蔵庫。
【発明の詳細な説明】
【０００１】
【発明の属する技術分野】
本発明は冷蔵室に引き出し式の食品収納容器を設けた冷蔵庫に関する。
【０００２】
【従来の技術】
冷蔵庫の使い勝手を良くするため、冷蔵室にはしばしば引き出し式の食品収納容器が設けられる。なお本明細書においては「冷蔵室」を低温貯蔵用の空間全般を指す概念として用いる。すなわちその温度は通常の冷蔵温度帯に限定されるものではなく、「氷温」「チルド」「冷凍」など、家庭用及び業務用の低温貯蔵温度帯全般を含む。
【０００３】
引き出し式の食品収納容器を備えた冷蔵庫の例を特許文献１に見ることができる。特許文献１に記載された冷蔵庫は、野菜室の扉の裏側に良熱伝導部材からなる貯蔵容器を備えている。貯蔵容器は上面に開口部を有するが、この上面開口部は調湿部材を備えた容器カバーにより密閉される。貯蔵容器はその器壁を通じ間接冷却されるものである。
【０００４】
特許文献１に記載された冷蔵庫では、貯蔵容器とその容器カバーとは一体となって冷蔵室に出入りする。貯蔵容器をある程度引き出さないと容器カバーを取り外すことができないし、貯蔵容器に食品を入れたり、貯蔵容器から食品を出したりする間、容器カバーをどこかに置かねばならない。冷蔵庫の外に出した容器カバーをうっかり破損してしまう危険性もある。これに対し、図１２に示す構造の冷蔵庫であれば、このような使い勝手の悪さはない。
【０００５】
図１２は従来知られている冷蔵庫の構造例を示す垂直断面図である。この冷蔵庫１は断熱筐体１０の内部を上下に区画して冷蔵室１１、１２を形成している。コンプレッサ、放熱器、エバポレータ、ファンなどの冷却機構は図示を省略する。冷蔵室１１、１２にはそれぞれ正面側に食品出し入れ用の開口部１３、１４を設け、この開口部１３、１４を断熱扉１５、１６で閉ざす。
【０００６】
冷蔵室１２の中には、それぞれ上面が開口部となった引き出し式の食品収納容器１７、１８、１９、２０が上から下へと垂直方向に並んでいる。一番下の食品収納容器２０にはその上面開口部を覆うカバー２１が設けられる。カバー２１は冷蔵室１２の内壁に固定的に支持されている。
【０００７】
断熱扉１６を開けば食品収納容器２０を引き出すことができる。カバー２１はその場に留まっているので、食品収納容器２０を引き出した分だけその上面開口部が開いて行く。そのため、上面開口部を大きく開く必要がないときは、食品収納容器２０を少しだけ引き出して食品を出し入れすることができる。カバー２１を冷蔵庫１の外に取り出す必要がないので、カバー２１の置き場所に悩むこともない。
【０００８】
【特許文献１】
特開平９−２８０７１９号公報
【０００９】
【発明が解決しようとする課題】
図１２に示したような構造の冷蔵庫は、食品収納容器のカバーの扱いは楽であるものの、食品収納容器の密閉性に問題がある。というのは、カバーに上面開口部の縁を接触させつつ食品収納容器を出し入れするとなると、カバーにも食品収納容器にも、さらには断熱筐体にも相当以上の製作精度と組立精度が必要となる。しかしながら現実には一定の寸法誤差や組立誤差は不可避である。また食品収納容器及びカバーには、通常、合成樹脂の射出成型品を用いるが、成型による「反り」も無視しがたい。そのため、カバーに当たらないよう、食品収納容器をスムーズに出し入れできるようにするためには、両者間に一定の隙間を置いて接触を避けるようにせざるを得ない。
【００１０】
このように食品収納容器とカバーの間に隙間があると、そこから匂いが漏れる。食品収納容器の中の食品の匂いが外の食品に移ることもあるし、外の食品の匂いが食品収納容器の中の食品に移ることもある。また、隙間を通じて食品収納容器の中の湿気が奪い取られるので、内部の食品が乾燥してしまう。
【００１１】
さらに、上面開口部の縁がカバーをこする状態で食品収納容器を出し入れしていると、上面開口部の縁が傷つき、美観を損なうという問題もある。
【００１２】
本発明は上記の点に鑑みてなされたものであり、その目的とするところは、冷蔵室に引き出し式の食品収納容器を設け、この食品収納容器の上面開口部を覆うカバーを冷蔵室内壁に支持させた冷蔵庫において、食品収納容器を冷蔵室内の所定位置に押し込んだときにはカバーが食品収納容器に密着してその上面開口部を密閉し、他方、食品収納容器の出し入れ時はカバーが離れて食品収納容器の動きを妨げないようにすることにある。
【００１３】
【課題を解決するための手段】
上記目的を達成するため、本発明では冷蔵庫を次のように構成した。
【００１４】
（１）冷蔵室に引き出し式の食品収納容器を設け、この食品収納容器の上面開口部を覆うカバーを冷蔵室内壁に支持させた冷蔵庫において、前記カバーを垂直方向に変位可能とするとともに、このカバーと前記食品収納容器との間には、食品収納容器の水平移動を、垂直運動成分を含むカバーの開閉動作に変換する運動変換機構を設け、この運動変換機構は、食品収納容器が前記冷蔵室内の所定位置に着座したときはカバーを食品収納容器に密着させ、食品収納容器が前記所定位置から離脱するときはカバーを食品収納容器から離間させるものとした。
【００１５】
この構成によれば、カバーを冷蔵庫の外に取り出す必要がないので、カバーの置き場所に悩まずに済む。そしてこのカバーは、食品収納容器が冷蔵室内の所定位置に着座すれば食品収納容器に密着し、その上面開口部を密閉する。従って、食品収納容器の中の食品の匂いが外の食品に移ることも、外の食品の匂いが食品収納容器の中の食品に移ることもない。食品収納容器の中の湿気が奪い取られ、内部の食品が乾燥することもない。食品収納容器が引き出されるときはカバーが離れるので、食品収納容器の動きが妨げられない。また、カバーをこすることにより食品収納容器の上面開口部の縁が傷つくといった問題とも無縁である。
【００１６】
（２）上記のような冷蔵庫において、前記カバーが、前記食品収納容器の上面開口部と平行を保ちつつ変位せしめられるものとした。
【００１７】
この構成によれば、カバーの変位のためのクリアランスが小さくて済む。そのため、冷蔵室内のデッドスペースを少なくし、スペース効率を高めることができる。
【００１８】
（３）上記のような冷蔵庫において、前記食品収納容器の上面開口部の縁を、前記運動変換機構の接触箇所としないものとした。
【００１９】
この構成によれば、目につきやすい食品収納容器の上面開口部の縁が運動変換機構との接触によって傷つくということがなく、食品収納容器の美観が持続する。
【００２０】
【発明の実施の形態】
以下、本発明の第１実施形態を図１〜３に基づき説明する。図１は冷蔵庫の垂直断面図、図２は食品収納容器とそのカバーの正面図、図３は図１と異なる動作状態を示す部分垂直断面図である。なおこの第１実施形態の冷蔵庫は、図１２で説明した従来構造の冷蔵庫と多くの構成が共通する。従って、説明の重複を避けるため、図１２で説明済みの構成要素については図１２で用いた符号をそのまま付し、説明は省略する。同じ原則を第２実施形態以下の実施形態にも適用し、既出の構成要素については前と同じ符号を付し、支障のないかぎり説明は省略するものとする。
【００２１】
第１実施形態の冷蔵庫１においては、カバー２１は冷蔵室１２の内壁に固定的に支持されているのでなく、垂直方向に変位可能となっている。具体的には、カバー２１の後端（開口部１４の方の端を前端、冷蔵室１２の奥の方の端を後端とする）が水平な軸２２によって冷蔵室１２の内壁に連結されており、カバー２１は軸２２を回動中心として垂直面内で回動する。
【００２２】
カバー２１と食品収納容器２０の間に、食品収納容器２０の水平移動を、垂直運動成分を含むカバー２１の開閉動作に変換する運動変換機構３０を設ける。第１実施形態における運動変換機構３０は、食品収納容器２０の側面に形設した水平リブ状のカム３１と、カバー２１の前端に近い部分から垂下し、下端のカムフォロワ３３をカム３１に接触させる脚部３２とにより構成される。図２に見られるとおり、カム３１及び脚部３２は食品収納容器２０及びカバー２１の両側に左右対称的に設けられる。
【００２３】
カム３１の上面はカム面３４となっている。カム面３４の前端（前端、後端の定義はカバー２１にならう）は低い位置にあり、冷蔵室１２の奥に向かって高くなる斜面がこれに続く。斜面の頂部に連続して、水平な高原部分が設けられている。このカム面３４に接触するカムフォロワ３３は、ローラにより構成するのが好ましい。
【００２４】
運動変換機構３０は次のように機能する。図１は食品収納容器２０を冷蔵室１２の奥に押し込み、所定位置に着座させた状態を示している。この時はカム面３４の前端にカムフォロワ３３が位置し、カムフォロワ３３はカム面３４の低くなった箇所に落ち込む。これによりカバー２１の前端が下がってカバー２１はほぼ水平になり、食品収納容器２０の上面開口部の縁に密着し、上面開口部を密閉する。これにより、食品収納容器２０の内部の中の食品の匂いが外に漏れることも、外の食品の匂いが内部の食品に移ることもない。食品収納容器２０の中の湿気が奪い取られ、内部の食品が乾燥することもない。
【００２５】
図３は断熱扉１６を開いて食品収納容器２０を引き出す状況を示している。食品収納容器２０が水平方向に移動し、所定位置から離脱すると、カム面３４の斜面がカムフォロワ３３を押し上げ、カバー２１は軸２２を回動中心として垂直面内で上方に回動する。すなわち食品収納容器２０の水平移動が、垂直運動成分を含むカバー２１の開閉動作に変換された。これによりカバー２１の下面は食品収納容器２０の上面開口部の縁から離間する。
【００２６】
カム面３４の斜面を登りきったカムフォロワ３３は以後カム面３４の高原部に支持され、カバー２１を図３の角度位置に保持する。このため、食品収納容器２０が水平移動を続けてもその上面開口部の縁とカバー２１の下面とがこすれ合うことがなく、食品収納容器２０の上面開口部の縁が傷つかない。
【００２７】
食品収納容器２０を一定位置まで引き出すと、図示しないストッパがその動きを止める。この時カムフォロワ３３はカム３１の上に載った状態を保っているので、食品収納容器２０を所定位置へ押し戻せば、カムフォロワ３３はそのままカム面３４を逆戻りする。食品収納容器２０が所定位置に着座するとき、カムフォロワ３３はカム面３４の前端に戻り、カム面３４の低くなった箇所に沈み込んで落ち着く。
【００２８】
気密性を高めるため、食品収納容器２０の上面開口部の縁とカバー２１の下面の一方又は双方に軟質合成樹脂又はゴム製のガスケットを装着してもよい。
【００２９】
図４〜７に本発明の第２実施形態を示す。図４は冷蔵庫の部分垂直断面図、図５は図４のＡ−Ａ線に沿い、図４と直角の方向に切断した部分垂直断面図、図６は図４のＢ−Ｂ線に沿い、図４と直角の方向に切断した部分垂直断面図、図７は図４と異なる動作状態を示す部分垂直断面図である。
【００３０】
第２実施形態の冷蔵庫１においては、カバー２１は後端を回動中心として垂直面内で回動するのでなく、全体が垂直方向にシフトする。これを実現する運動変換機構３０の構成は次のようになっている。
【００３１】
カバー２１の前端に近い部分から脚部３２が垂下し、この脚部３２の下端にカムフォロワ３３が設けられている点は第１実施形態と同様である。ただしカムフォロワ３３は食品収納容器２０の側面に形設されたカムに係合するのでなく、食品収納容器２０の上面開口部の縁に係合する。この上面開口部の縁がカム面３５となっている。カム面３５は、食品収納容器２０の前端に近い位置に最も低くなった箇所を有し、そこから冷蔵室１２の奥に向かって左上がりの斜面となる。斜面の頂部に連続して、水平な高原部分が設けられている。
【００３２】
カバー２１の後端からは、左右１対のカムフォロワ３６が突出する。カムフォロワ３６は冷蔵室１２の内壁面に形設されたカム溝３７に係合する。カム溝３７は後端が最も低くなっており、その前に、前方に向かって高くなる斜面が設けられている。斜面の頂部に連続して、水平な高原部分が設けられている。カムフォロワ３６はローラにより構成される。
【００３３】
運動変換機構３０は次のように機能する。図４は食品収納容器２０を冷蔵室１２の奥に押し込み、所定位置に着座させた状態を示している。この時、カムフォロワ３３はカム面３５の最も低くなった箇所に落ち込み、カムフォロワ３６はカム溝３７の最も低い箇所に落ち込んでいる。カバー２１は水平状態で食品収納容器２０の上面開口部の縁に密着し、上面開口部を密閉している。
【００３４】
図７のように断熱扉１６を開き、食品収納容器２０を引いて水平方向に移動させ、所定位置から離脱させると、カバー２１も前方に移動する。これにより、カムフォロワ３３にはカム面３５の斜面を登る動きが生じ、カムフォロワ３６にはカム溝３７の斜面を登る動きが生じる。このため、カバー２１は食品収納容器２０の上面開口部とほぼ平行な状態を保ちつつ上方に変位する。すなわち食品収納容器２０の水平移動が、垂直運動成分を含むカバー２１の開閉動作に変換された。これによりカバー２１の下面は食品収納容器２０の上面開口部の縁から離間する。
【００３５】
カバー２１は食品収納容器２０の上面開口部と平行を保ちつつ変位するので、後端を回動中心として前端がはね上がる第１実施形態のカバーに比べ、前端側のクリアランスが小さくて済む。そのため、冷蔵室１２内のデッドスペースを少なくし、スペース効率を高めることができる。
【００３６】
カバー２１の前方移動は、カムフォロワ３６がカム溝３７の高原部に入り、その前端に引っかかるところで終わりとなる。カムフォロワ３３はこの時カム面３５の高原部で支持されている。以後、食品収納容器２０がさらに水平移動を続けても、カバー２１と食品収納容器２０の間には隙間が生じたままであり、食品収納容器２０の上面開口部の縁がカバー２１にこすれて傷つくことはない。
【００３７】
食品収納容器２０を一定位置まで引き出すと、図示しないストッパがその動きを止める。この時カムフォロワ３３はカム面３５の上に載った状態を保っているので、食品収納容器２０を所定位置へ押し戻せば、カムフォロワ３３はそのままカム面３４を逆戻りする。カムフォロワ３３がカム面３５の最も低くなった箇所に入ると、カバー２１も後方に押され出す。後方に移動する間、カバー２１は食品収納容器２０の上面開口部とほぼ平行を保っている。食品収納容器２０が所定位置に着座するとき、カムフォロワ３６がカム溝３７の後端に落ち着き、カバー２１の移動は終わる。これで図４の状態に戻る。
【００３８】
図５に見られるように、脚部３２にはカムフォロワ３３と背中合わせにカムフォロワ３８が取り付けられている。冷蔵室１２の内壁面には水平なリブ３９が形設されており、カムフォロワ３３がカム面３５の最も低くなった箇所に係合する状態以上に脚部３２が落ち込もうとすると、リブ３９がカムフォロワ３８を支える。これによりカムフォロワ３３と冷蔵室１２の底面との間には、食品収納容器２０を抜き取った後にも所定高さの隙間が維持される。この隙間の高さは食品収納容器２０の後端の高さより高い。従って、前記ストッパによる拘束を解除して食品収納容器２０を抜き出す必要があった場合、抜き出した食品収納容器２０を再び挿入すれば、カムフォロワ３３は自然にカム面３５に乗り移る。
【００３９】
図８〜１１に本発明の第３実施形態を示す。図８は冷蔵庫の部分垂直断面図、図９は図８のＣ−Ｃ線に沿い、図８と直角の方向に切断した部分垂直断面図、図１０は図８のＤ−Ｄ線に沿い、図８と直角の方向に切断した部分垂直断面図、図１１は図８と異なる動作状態を示す部分垂直断面図である。
【００４０】
第３実施形態の冷蔵庫１においても、第２実施形態と同様、カバー２１は全体が垂直方向にシフトする。これを実現する運動変換機構３０の構成は次のようになっている。
【００４１】
カバー２１の前端に近い部分から脚部３２が垂下し、この脚部３２の下端にカムフォロワ３３が設けられている点は第１実施形態及び第２実施形態と同様である。ただしカムフォロワ３３は、図９に見られるように、外向きに取り付けられており、冷蔵室１２の内壁面に形設された水平リブ状のカム４０のカム面４１に載る。カバー２１の後端に近い部分からも脚部４２が垂下し、この脚部４２に外向きに取り付けられたカムフォロワ４３（図１０参照）が、同様にカム面４１に載る。カムフォロワ４３はローラにより構成される。
【００４２】
カム面４１の後端には、図１１に見られるように、突起状のストッパ４４が設けられている。このストッパ４４にカムフォロワ４３が係合したところでカバー２１の移動は停止する。この位置はまた、食品収納容器２０が所定位置に着座する位置でもある。
【００４３】
カムフォロワ４３がストッパ４４に係合するとき、カムフォロワ４３とカムフォロワ３３はそれぞれカム面４１の最も低くなった箇所に位置している。カム面４１には、この位置から前進するカムフォロワ３３、４３を迎えるように、前方に向かって高くなる斜面が形設されている。この斜面は頂点に達した後、前方に少し落ち込み、水平な高原部へと続く。カムフォロワ４３側の高原部の前端には突起状のストッパ４５が設けられている。
【００４４】
食品収納容器２０は、カムフォロワ４３に連結する連結部４６を側面に有する。連結部４６にはカムフォロワ４３を前後から挟む上向きの突起４７、４８が設けられている。後方に位置する突起４８は前方に位置する突起４７より高さが低いうえ、その上面は後方に向かって低くなる斜面となっている。
【００４５】
運動変換機構３０は次のように機能する。図８は食品収納容器２０を冷蔵室１２の奥に押し込み、所定位置に着座させた状態を示している。この時、カムフォロワ３３、４３はカム面４１の最も低い箇所に位置し、カバー２１は水平状態で食品収納容器２０の上面開口部の縁に密着し、上面開口部を密閉する。
【００４６】
図１１のように断熱扉１６を開き、食品収納容器２０を引いて水平方向に移動させ、所定位置から離脱させると、突起４８がカムフォロワ４３を押し、カバー２１は前方に押し出される。これにより、カムフォロワ３３、４３にはそれぞれカム面４１の斜面を登る動きが生じ、カバー２１は食品収納容器２０の上面開口部とほぼ平行な状態を保ちつつ上方に変位する。すなわち食品収納容器２０の水平移動が、垂直運動成分を含むカバー２１の開閉動作に変換された。これによりカバー２１の下面は食品収納容器２０の上面開口部の縁から離間する。
【００４７】
カムフォロワ３３、４３は揃って斜面の頂点を乗り越え、高原部に移る。カムフォロワ４３はほどなくストッパ４５に係合し、ここでカバー２１の前方移動は終わりを告げる。食品収納容器２０をなおも引き出すと、突起４８がカムフォロワ４３を押し上げてその前方に移動し、連結部４６はカムフォロワ４３から離れる。食品収納容器２０の引き出しはこれ以後も続行することができる。カバー２１と食品収納容器２０の間には隙間が生じたままであり、食品収納容器２０がさらに水平移動を続けても、その上面開口部の縁がカバー２１にこすれて傷つくことはない。また第２実施形態の構成と異なり、食品収納容器２０の上面開口部の縁が運動変換機構３０の接触箇所となっていないので、目につきやすい食品収納容器２０の上面開口部の縁が運動変換機構３０との接触によって傷つくということがなく、食品収納容器２０の美観が持続する。
【００４８】
連結部４６の突起４７がカムフォロワ３３に係合するところが食品収納容器２０の引き出し限界となる。ここから食品収納容器２０を所定位置へと押し戻せば、突起４８がカムフォロワ４３を押し上げてその後方に出た後、突起４７がカムフォロワ４３に係合し、カムフォロワ４３を後方へ押す。これによりカバー２１は後方への移動を始める。後方に移動する間、カバー２１は食品収納容器２０の上面開口部とほぼ平行を保っている。
【００４９】
カムフォロワ３３、４３が斜面の頂点を乗り越えて斜面を下り、カムフォロワ４３がストッパ４４に係合した時点でカバー２１の移動は終わり、同時に食品収納容器２０は所定位置に着座する。カバー２１は食品収納容器２０の上面開口部の縁に密着し、その上面開口部を密閉する。
【００５０】
以上、本発明の各実施形態につき説明したが、本発明の範囲はこれに限定されるものではなく、発明の主旨を逸脱しない範囲で種々の変更を加えて実施することができる。
【００５１】
【発明の効果】
本発明の冷蔵庫によれば、引き出し式の食品収納容器の上面開口部を覆うカバーは冷蔵室の内壁に支持されており、カバーを冷蔵庫の外に取り出す必要がないので、カバーの置き場所に悩まずに済む。そしてこのカバーは、食品収納容器との間に設けられた運動変換機構により、食品収納容器が冷蔵室内の所定位置に着座したときは食品収納容器に密着してその上面開口部を密閉し、食品収納容器が所定位置から離脱するときは食品収納容器から離間する。従って、食品収納容器が所定位置に着座した後は、内部の食品の匂いが外の食品に移ることも、外の食品の匂いが食品収納容器の中の食品に移ることもなく、さらには内部の湿気が奪い取られて食品が乾燥することもない。食品収納容器が引き出されるときはカバーが離れるので、食品収納容器の動きが妨げられない。カバーをこすることにより食品収納容器の上面開口部の縁が傷つくといった問題とも無縁である。
【図面の簡単な説明】
【図１】本発明の第１実施形態に係る冷蔵庫の垂直断面図
【図２】食品収納容器とそのカバーの正面図
【図３】図１と異なる動作状態を示す部分垂直断面図
【図４】本発明の第２実施形態に係る冷蔵庫の部分垂直断面図
【図５】図４のＡ−Ａ線に沿い、図４と直角の方向に切断した部分垂直断面図
【図６】図４のＢ−Ｂ線に沿い、図４と直角の方向に切断した部分垂直断面図
【図７】図４と異なる動作状態を示す部分垂直断面図
【図８】本発明の第３実施形態に係る冷蔵庫の部分垂直断面図
【図９】図８のＣ−Ｃ線に沿い、図８と直角の方向に切断した部分垂直断面図
【図１０】図８のＤ−Ｄ線に沿い、図８と直角の方向に切断した部分垂直断面図
【図１１】図８と異なる動作状態を示す部分垂直断面図
【図１２】従来の冷蔵庫の構造例を示す垂直断面図
【符号の説明】
１    冷蔵庫
１０  断熱筐体
１１、１２  冷蔵室
１５、１６  断熱扉
２０  食品収納容器
２１  カバー
３０  運動変換機構
【図１】
2004309016.tif 000003
【図２】
2004309016.tif 000004
【図３】
2004309016.tif 000005
【図４】
2004309016.tif 000006
【図５】
2004309016.tif 000007
【図６】
2004309016.tif 000008
【図７】
2004309016.tif 000009
【図８】
2004309016.tif 000010
【図９】
2004309016.tif 000011
【図１０】
2004309016.tif 000012
【図１１】
2004309016.tif 000013
【図１２】
2004309016.tif 000014